(57)【要約】  【課題】  全体の大型化、コストアップを招くことなく、サイズや重量の大小にかかわらず、建築用パネルを容易かつ省力的に建て込み施工できるとともに、作業効率を向上して工期の短縮並びに工費の大幅節減が図れるようにする。  【解決手段】  フォークリフトＢのフォーク１３に装脱可能なベース部材２の先端に、断熱パネルの長手方向一端下部に移入可能で、その移入状態でのフォークリフトＢの前進及びフォーク１３の上昇により断熱パネルＰを垂直に立て起こし可能な自由回転ローラ３が取り付けられているとともに、ベース部材２の上面部には、パネル表面を吸着する吸着パッド７を備えたパネル把持部材４を吸着パッド７が作用姿勢と非作用姿勢とに切替えられるように位置変更可能に設けられている。  【選択図】      図２
2007008592.tif 000002
【特許請求の範囲】
【請求項１】
フォークリフトのフォークに装着・離脱自在な枠状ベース部材の先端部に、水平もしくは略水平姿勢に置かれた建築用パネルの長手方向一端側下部に移入可能で、その移入状態でのフォークリフトの前進及びフォークの上昇に伴い前記建築用パネル表面に沿って摺接移動することにより該パネルを垂直に立て起こすことが可能な自由回転ローラが取付けられているとともに、前記ベース部材の上面部には、立て起こした建築用パネルの表面に対する把持具を先端に有するパネル把持部材が取付けられ、このパネル把持部材は、その先端パネル把持具が前記自由回転ローラの周面前端よりも前方へ突出する作用姿勢と後方へ引退した非作用姿勢とに切替えられるようにベース部材に対して位置変更可能に構成されていることを特徴とする建築用パネルの建て込み施工治具。
【請求項２】
前記自由回転ローラが、弾性ゴム材料から構成されている請求項１に記載の建築用パネルの建て込み施工治具。
【請求項３】
前記パネル把持部材の先端パネル把持具が、吸着パッドから構成されている請求項１または２に記載の建築用パネルの建て込み施工治具。
【発明の詳細な説明】
【技術分野】
【０００１】
本発明は、例えば大型冷凍庫や冷凍倉庫等の壁面を構成するサンドイッチ状の断熱パネルや防火パネル等の各種建築用パネルを垂直に立て起こした後、その下端部を床面に固定したパネルベース内に嵌めるように建込み施工する場合に用いられる建築用パネルの建て込み施工治具に関する。
【背景技術】
【０００２】
建築用パネル、例えば、大型冷凍庫や冷凍倉庫等の壁面を構成するサンドイッチ状の断熱パネルには、背丈５ｍ以上、幅１ｍ以上の大型サイズのものや、最大１５０ｋｇ程度にも及ぶ大重量のものがある。このような大型サイズ、大重量の建築用パネルを垂直に立て起こし、その下端部を床面に固定のパネルベース内に嵌め込むように施工するにあたり、従来一般には、複数（２〜４人）の作業者が協力してパネルを支持し垂直に立て起こした上、その垂直立て起こし姿勢を保ったまま持ち上げてパネルベース内に嵌め込むといった人力による建て込み施工が行われていた。しかし、この人力建て込み施工の場合は、多くの作業者が必要となるだけでなく、複数枚のパネルを順次並列的に建て込んで所定の壁面を構築するに際して、上述した同じ作業を繰り返すので、作業者の疲労による作業能率の低下は避けられず、したがって、人的にも施工効率面からも作業コスト（工費）が非常に高くなるという問題がある。
【０００３】
このような人力による建込み施工に代わる機械施工手段として、従来、施工現場にウィンチやクレーン等の仮設揚重機械を持ち込み、この揚重機械を用いて建築用パネルを順次施工する手段も一部で実施されている。
【０００４】
また、建築用パネルの一種である断熱パネルを建物の天井面に貼り付け施工するための装置として、断熱パネルに対する吸着パッドを備えたパネル吸着部をフォークリフトのフォークに装着可能な装着部に上下反転可能に設けてなるものを、本出願人は既に提案している（例えば、特許文献１参照）。
【０００５】
【特許文献１】特開２００３−７４１８７号公報
【発明の開示】
【発明が解決しようとする課題】
【０００６】
しかし、ウィンチやクレーン等の仮設揚重機械を用いる施工手段の場合は、その揚重機械の施工現場への仮設及び施工現場からの撤去に多大な手数、工程、費用を要するだけでなく、パネルの建て込み進行に伴い揚重機械の据付け位置を順次移動させるといった面倒な移設作業が必要で、そのためにも大変な手数及び時間を要し、人力施工よりも更に作業効率が悪くなって工期が長くかかり、それだけ作業コストも増大するという問題がある。
【０００７】
また、特許文献１に開示されている施工装置は、床面上を自由自在に走行移動可能なフォークリフトの有効利用により、ウィンチやクレーン等の仮設揚重機械を用いる場合に比べて、使用操作が簡単であるとともに、事前作業や事後作業に要する手数、工程も少なくなり、トータル的に作業コストの低減が図れるものの、該装置はあくまでもパネル吸着部を上下に反転駆動させる機構等を備えた天井面へのパネル貼り付け施工専用の装置であって、そのままではパネルを垂直に立て起こしてその下端部をパネルベース内に嵌め込むといったパネル建て込み用装置としては転用使用することができない。仮に、当該装置をパネル建て込みにも転用使用可能とするには、上下反転駆動機構中にパネルが垂直に立て起こされた姿勢でパネル吸着部の反転駆動を途中停止できるような複雑な機構を組み込むなど大幅な改造が必要となり、そうすると、装置全体の大型化、コストアップは免れ得ないという問題があった。
【０００８】
本発明は上記実情に鑑みてなされたもので、全体の大型化、コストアップを招くことなく、サイズや重量の大小にかかわらず、建築用パネルを容易かつ省力的に建て込み施工できるとともに、作業効率を向上して工期の短縮並びに工費の大幅節減を図ることができる建築用パネルの建て込み施工治具を提供することを目的としている。
【課題を解決するための手段】
【０００９】
上記目的を達成するために、本発明に係る建築用パネルの建て込み施工治具は、フォークリフトのフォークに装着・離脱自在な枠状ベース部材の先端部に、水平もしくは略水平姿勢に置かれた建築用パネルの長手方向一端側の該パネル表面下に移入可能で、その移入状態でのフォークリフトの前進及びフォークの上昇に伴い前記建築用パネル表面に沿って摺接移動することにより該パネルを垂直に立て起こすことが可能な自由回転ローラが取付けられているとともに、前記ベース部材の上面部には、立て起こした建築用パネルの表面に対する把持具を先端に有するパネル把持部材が取付けられ、このパネル把持部材は、その先端パネル把持具が前記自由回転ローラの周面前端よりも前方へ突出する作用姿勢と後方へ引退した非作用姿勢とに切替えられるようにベース部材に対して位置変更可能に構成されていることを特徴とするものである。
【発明の効果】
【００１０】
上記のような特徴を有する本発明に係る建築用パネルの建て込み施工治具によれば、フォークリフトのフォークにベース部材を装着（セット）するとともに、パネル把持部材をその先端パネル把持具が非作用姿勢になるように位置変更した上で、自由回転ローラを、水平もしくは略水平姿勢に置かれた建築用パネルの長手方向一端側下部に移入させる。この状態で、フォークリフトを前進させると同時に、フォークを上昇させて前記ローラをパネル表面に沿って摺接移動させることによって、建築用パネルを、その長手方向他端側の接地部を支点として回動させて垂直に立て起こすことが可能である。このようなパネルの垂直立て起こし後に、パネル把持部材をその先端パネル把持具が作用姿勢になるように位置変更させてパネル把持具によりパネル表面を把持させ、この状態で、フォークの上昇→フォークリフトの前進→フォークの下降といった順次動作を行うことによって、フォークリフトを介して立て起こしパネルの下端部をベースパネル内に嵌め込ませることが可能である。
【００１１】
上記のように、本発明は、フォークリフトの機動性及びその動力を合理的に有効利用して建築用パネルを垂直に立て起するとともに、その下端部を床面に固定のパネルベース内に嵌め込むことができるので、建築用パネルのサイズや重量の大小に拘らず、一人あるいは極く少数の作業者が従事するだけで建築用パネルを容易かつ省力的、能率的に建て込み施工することができる。しかも、機動性に富み、使用操作の簡単なフォークリフトを使用するので、例えばウィンチやクレーン等の揚重機械を用いる場合のような多大な手数、工程を要する仮設、撤去及び面倒な移設作業が不要で、広い範囲に亘るパネル建て込み施工時における作業効率を著しく向上することができ、全体として著しい工期短縮、工数削減、工費（作業コスト）節減を達成できる。加えて、ベース部材に回転ローラとパネル把持具を有するパネル把持部材を位置可変に取り付けるのみでよく、複雑な駆動機構等は不要であるから、冶具全体を軽量小型で、かつ、低コストに構成してフォークリフト用アタッチメントとして有効に使用することができるという効果を奏する。
【００１２】
本発明に係る建築用パネルの建て込み施工治具において、請求項２に記載のように、前記自由回転ローラは、弾性ゴム材料から構成されていることが望ましい。この場合は、パネルの立て起こし時に相互に摺接するローラとパネル表面との間の摩擦力を適切なものにして所定の立て起こし作用を確実に行うことができるとともに、パネル表面への擦過傷の発生なども防止することができる。
【００１３】
また、本発明に係る建築用パネルの建て込み施工治具におけるパネル把持部材の先端パネル把持具としては、例えば建築用パネルの外装板が鉄等の磁性材料製である場合は磁石を用いてもよいが、請求項３に記載のように、吸着パッドから構成されていることが好ましい。この場合は、建築用パネル外装板の構成材料のいかんにかかわらず、そのパネルを確実に吸着把持させて所定の建て込み施工を確実、安全に行うことができる。
【発明を実施するための最良の形態】
【００１４】
以下、本発明の実施の形態を図面にもとづいて説明する。
図１は本発明に係る建築用パネルの建て込み施工治具の側面図、図２は同建て込み施工冶具の平面図を示す。この建築用パネルの建て込み施工治具Ａは、車体本体１０の前部に垂直姿勢に固定支持されたマスト１１に枠体１２を昇降自在に支持させ、この昇降枠体１２の下端部から前方に向けて左右一対のフォーク１３が水平に突設されているフォークリフトＢにおける前記左右一対のフォーク１３に対して挿入（装着）・抜離（離脱）自在なフォーク差込部１を有する枠状ベース部材２と、このベース部材２の先端部に取り付けられた自由回転ローラ３と、前記ベース部材２の上面部の左右位置に取り付けられた左右一対のパネル把持部材４とにより構成されている。
【００１５】
前記自由回転ローラ３は弾性ゴム材料から構成されており、この弾性ゴム製自由回転ローラ３は、その外周面が前記ベース部材２の上面よりも少し上方に突出する径に設定されているとともに、後述する建築用パネルの長手方向一端側下部に移入させた状態でのフオークリフトＢの前進及びフォーク１３の上昇に伴い建築用パネル表面に沿って摺動移動することによりその建築用パネルを垂直に立て起こすことが可能な軸長に設定されている。このような径及び軸長に設定された弾性ゴム製自由回転ローラ３は、ベース部材２の前面部から前方へ突出させたブラケット５間に軸６を介して自由回転可能に支承されている。
【００１６】
前記左右一対のパネル把持部材４はそれぞれ側面視で横向き略Ｌ字形状に形成されており、前方へ向かう前向き延在部４ａの先端には、建築用パネルの表面に対する把持具の一例となる吸着パッド７がスプリング８を介して前方付勢状態に装着されている。その吸着パッド７は図示省略した真空ポンプ等の空気給排手段による空気給排によって、建築用パネルに対して吸着作用状態と吸着解除状態とに切り替え可能に構成されたものが好ましいが、これ以外に、建築用パネル表面への押圧により内部空気を外部に排除して吸着作用状態となり、小弁を開放することで内部に外部空気を侵入させて吸着解除状態に切り替え可能とされたものであってもよい。
【００１７】
前記パネル把持部材４の下向き基端部４ｂには、図２及び図３に示すように、前記ベース部材２の上面部に形成された平面視略Ｌ字型の溝９内に摺動自在に嵌合する角駒状部材１０が一体に固定されているとともに、この角駒状部材１０の下端には抜止部材１１が固定されている。前記溝９は、前記角駒状部材１０の摺動を介してパネル把持部材４をその先端吸着パッド７が前記弾性ゴム製自由回転ローラ３の周面先端よりも前方へ突出する吸着作用姿勢（図１の実線参照）と前記弾性ゴム製自由回転ローラ３の周面先端よりも後方へ引退した非作用姿勢（図１の仮想線参照）とに切替えられるように前後方向に位置変更（移動）可能とする前後方向に長い溝部９ａ及びその長い溝部９ａの前端に接続されて前記吸着パッド７が吸着作用姿勢に切替えられたとき、前記パネル把持部材４の後方への移動を阻止する横方向に短い溝部９ｂからなる。
【００１８】
また、前記左右一対のパネル把持部材４の前向き延在部４ａ間には、これら左右一対のパネル把持部材４を同時に移動操作可能とする姿勢切替用操作杆１２が掛け渡し固定されている。
【００１９】
上記のような建築用パネルの建て込み施工治具Ａによる施工対象となる建築用パネルＰとしては、図４に例示するように、鉄あるいはアルミ等の表裏一対の外装板１４，１４間に発泡ウレタン断熱層１５を挟在させて縦寸法（背丈）Ｈが５〜７ｍ、横幅寸法Ｗが１１００〜１２００ｍｍ、重量１５０ｋｇ程度で、大型冷凍庫や冷凍倉庫等の壁面を断熱化するために多用されている大型のサンドイッチ状断熱パネルを挙げることができるが、これ以外に、木製パネルや鋼製防火パネルなど各種の建築用パネルのいずれを施工対象としてもよい。
【００２０】
次に、上記のように構成された建築用パネルの建て込み施工治具Ａを用いて、サンドイッチ状断熱パネルＰの建て込み施工要領について説明する。
まず、図５に概略的に示すように、フォークリフトＢのフォーク１３にベース部材２のフォーク差込部１を挿入して該建て込み施工治具ＡをフォークリフトＢに装着（セット）した上、パネル把持部材４をその先端パネル吸着パッド７が図１の実線に示すような非作用姿勢になるように位置変更し、この状態で、水平もしくは略水平姿勢に置かれた断熱パネルＰの長手方向一端側下部に弾性ゴム製自由回転ローラ３を移入させる。この自由回転ローラ３の断熱パネルＰ下部ヘの移入に際しては、断熱パネルＰの長手方向一端部を作業者によって少し持ち上げる、または、断熱パネルＰの長手方向一端部下に適当な台を差し入れた状態でフォークリフトＢを前進させることで自由回転ローラ３を移入させる。
【００２１】
このような断熱パネルＰ下部への自由回転ローラ３の移入状態で、図６に概略的に示すように、フォークリフトＢを前進させると同時に、フォーク１３をマスト１１に沿って上昇させて前記自由回転ローラ３を断熱パネルＰの外装板１４表面に沿って摺接移動させることによって、断熱パネルＰを、その長手方向他端側の接地部を支点として回動させて垂直に立て起こす。このパネル立て起こし時には、断熱パネルＰの長手方向他端の接地部裏側に石等の他物をあてがって回動支点位置が動かないようにする。
【００２２】
そして、断熱パネルＰが垂直に立て起こされた後、姿勢切替用操作杆１２を握って左右一対のパネル把持部材４をその先端パネル吸着パッド７が図１の仮想線に示すような作用姿勢になるように位置変更することにより、吸着パッド７を図７に概略的に示すように、断熱パネルＰの外装板１４表面に吸着させて断熱パネルＰをパネル把持部材４に把持させる。この状態で、フォーク１３の上昇→フォークリフトＢの前進→フォーク１３の下降といったように、順次動作させることによって、立て起こし断熱パネルＰの下端部を床面Ｆの所定位置に予め固定設置されているベースパネル１６内に嵌め込ませて断熱パネルＰを所定どおりに建て込み施工する。
【００２３】
上述したようにフォークリフトＢの機動性及びその動力を合理的に有効利用して断熱パネルＰを垂直に立て起こし、かつ、その下端部を床面に固定のパネルベース１６内に嵌め込むことができるので、断熱パネルＰのサイズや重量の大小に拘らず、一人あるいは極く少数の作業者の従事により断熱パネルＰを容易かつ省力的、能率的に建て込み施工することが可能であり、また、機動性に富み、使用操作の簡単なフォークリフトＢの使用によって、例えばウィンチやクレーン等の揚重機械を用いる場合のような仮設、撤去及び面倒な移設作業が不要で、広い範囲に亘るパネル建て込み施工時における作業効率を著しく向上することが可能となり、全体として著しい工期短縮、工数削減、工費（作業コスト）節減を達成することができる。
【００２４】
なお、上記実施の形態では、左右一対のパネル把持部材４にそれぞれ一つのパネル吸着パッド７を設けたものについて説明したが、各パネル把持部材４にそれぞれ複数のパネル吸着パッド７をパネル面方向に間隔を隔てて配設してもよい。この場合は、更にサイズ及び重量の大きい建築用パネルの建て込み施工に有効に使用することが可能である。
【００２５】
また、自由回転ローラ４としては、施工時に滑りがなくて所定の立て起こし作用を確実に行うことができるとともに、パネル表面に擦過傷を発生することがない弾性ゴム製のものが最も好ましいが、樹脂製ローラを用いてもよい。
【図面の簡単な説明】
【００２６】
【図１】本発明に係る建築用パネルの建て込み施工治具の側面図である。
【図２】同上建て込み施工冶具の平面図である。
【図３】図２のＸ−Ｘ線に沿った拡大縦断面図である。
【図４】施工対象建築用パネルの一例となる断熱パネルの一部省略縦断面図である。
【図５】建て込み施工要領の一つで、治具の回転ローラをパネル下部に移入させた状態を示す概略側面図である。
【図６】建込み施工要領の一つで、パネルが垂直に立て起こされる途中状態を示す概略側面図である。
【図７】建て込み施工要領の一つで、垂直に立て起こされた後のパネルの建て込み施工状態を示す概略側面図である。
【符号の説明】
【００２７】
１  フォーク差込部
２  ベース部材
３  弾性ゴム製自由回転ローラ
４  パネル把持部材
７  パネル吸着パッド（把持具の一例）
１３  フォーク
Ａ  建築用パネルの建て込み施工治具
Ｂ  フォークリフト
Ｐ  断熱パネル（建築用パネルの一例）
【図１】
2007008592.tif 000003
【図２】
2007008592.tif 000004
【図３】
2007008592.tif 000005
【図４】
2007008592.tif 000006
【図５】
2007008592.tif 000007
【図６】
2007008592.tif 000008
【図７】
2007008592.tif 000009